(57)【要約】【課題】簡単な構成によって転写ニップで発生した振動が一次転写手段に伝わらない画像形成装置を提供する。【解決手段】中間転写ユニット３０は、複数の支持ローラおよび一次転写手段を有するメインユニット７１と、少なくとも１つの支持ローラを有する二次転写対向ユニット７２とを有する。二次転写装置８０は、支持ローラに掛け回された中間転写体１０と対向して配置され転写部材２２を備えている。転写ニップが対向転写部材１６（中間転写体１０）と転写部材２２により形成される。対向転写部材１６を保持する二次転写対向ユニット７２が、連結手段７３により遊びをもって且つメインユニット７１と非接触でメインユニット７１に対して保持されており、二次転写対向ユニット７２が対向する二次転写装置８０によって固定され、二次転写対向ユニット７２と二次転写装置８０は緩衝部材９１を介して接触する。【選択図】図５
2016020960.tif 000002
【特許請求の範囲】
【請求項１】
複数の支持ローラおよび一次転写手段を有するメインユニットと、少なくとも１つの支持ローラを有する二次転写対向ユニットとを有する中間転写ユニット、
前記支持ローラに掛け回され回転搬送可能な中間転写体、および
前記中間転写体と対向して配置され転写部材を備えた二次転写装置とを有し、
前記支持ローラの１つである対向転写部材と前記転写部材とが前記中間転写体を介して対向することで形成される転写ニップにおいて前記中間転写体上のトナー像を転写紙に移す画像形成装置において、
前記対向転写部材を保持する前記二次転写対向ユニットが、連結手段により遊びをもって且つ前記メインユニットと非接触で前記メインユニットに対して保持されており、
前記二次転写対向ユニットが対向する前記二次転写装置によって固定され、前記二次転写対向ユニットと前記二次転写装置は緩衝部材を介して接触することを特徴とする画像形成装置。
【請求項２】
複数の支持ローラおよび一次転写手段を有するメインユニットと、少なくとも１つの支持ローラを有する二次転写対向ユニットとを有する中間転写ユニット、
前記支持ローラに掛け回され回転搬送可能な中間転写体、および
前記中間転写体と対向して配置され転写部材を備えた二次転写装置とを有し、
前記支持ローラの１つである対向転写部材と前記転写部材とが前記中間転写体を介して対向することで形成される転写ニップにおいて前記中間転写体上のトナー像を転写紙に移す画像形成装置において、
前記対向転写部材を保持する前記二次転写対向ユニットが対向する前記二次転写装置によって固定され、前記メインユニットとは直接接触していないことを特徴とする画像形成装置。
【請求項３】
前記二次転写対向ユニットは、前記対向転写部材よりも転写紙の搬送方向上流側に転写前ローラを保持する、ことを特徴とする請求項１または２に記載の画像形成装置。
【請求項４】
前記二次転写対向ユニットは、前記対向転写部材よりも転写紙の搬送方向上流側に転写紙ガイド部材を含む、ことを特徴とする請求項１〜３のいずれか一項に記載の画像形成装置。
【請求項５】
前記中間転写体上のトナー像を検知する検知手段が、前記二次転写装置または前記二次転写装置を支持する引き出しユニットに位置決めされている、ことを特徴とする請求項１〜４のいずれか一項に記載の画像形成装置。
【請求項６】
前記メインユニットと前記二次転写対向ユニットが緩衝部材を介して接触する、ことを特徴とする請求項２に記載の画像形成装置。
【発明の詳細な説明】
【技術分野】
【０００１】
本発明は、複写機、プリンタ、ファクシミリまたはそれらの複合機等の画像形成装置に関する。
【背景技術】
【０００２】
中間転写方式の画像形成装置では、複数の張架ローラによって張架されながら回転移動する無端状ベルトの像担持体である中間転写ベルトと、中間転写ベルトのおもて面に当接する転写部材である二次転写ローラとで二次転写ニップが形成される。しかし、転写紙が二次転写ニップに進入するときや二次転写ニップから抜けるときの衝撃により、中間転写ベルトの突発的な速度変動やこれを保持する中間転写ユニットの振動が生じる。すると、この振動が感光体と中間転写ベルトの間の一次転写ニップに伝わり、中間転写ベルト上に転写された画像が伸び縮みしたり、転写ブレが生じたりする。そのため、一定の画像濃度であるべき画像部分に濃淡が生じ、ショックジターと呼ばれる異常画像が発生する。
【０００３】
ショックジターを抑止するために、転写紙が転写ニップに進入するのに先立ち、中間転写ベルトと二次転写ローラの間に微小ギャップを形成し、転写紙先端が微小ギャップに進入した直後に中間転写ベルトと二次転写ローラを当接させる技術が公知である（特許文献１）。これにより、転写処理中には二次転写ニップで十分な転写圧を発揮させて、転写不良の発生を抑えている。
【０００４】
しかし、転写紙先端が転写ニップに進入した直後に中間転写ベルトと二次転写ローラを当接させる技術では、中間転写ベルトの速度変動を低減する効果は高いが、中間転写ユニットの振動を低減する効果は低い。逆に、転写紙が進入する前の中間転写ベルトと二次転写ローラとのギャップが紙厚より広過ぎると、当接時の衝撃により中間転写ユニットが振動してショックジターが発生する場合もあるため、様々な紙厚に対応するために複雑な装置が必要となる。
【０００５】
特許文献２は、転写装置を像担持体に位置決めして当接するときに、転写装置と像担持体との間の位置ずれを補正する技術を開示している。特許文献３は、二次転写装置を副筐体に非固定に保持し、副筐体が主筐体に収納されると、付勢手段による付勢力により二次転写装置が中間転写ベルトに対して位置決めされる画像形成装置を開示している。
【発明の概要】
【発明が解決しようとする課題】
【０００６】
そこで、本発明は、簡単な構成によって転写ニップで発生した振動が一次転写手段に伝わらない画像形成装置を提供する。
【課題を解決するための手段】
【０００７】
この課題を解決するため、複数の支持ローラおよび一次転写手段を有するメインユニットと、少なくとも１つの支持ローラを有する二次転写対向ユニットとを有する中間転写ユニット、前記支持ローラに掛け回され回転搬送可能な中間転写体、および前記中間転写体と対向して配置され転写部材を備えた二次転写装置とを有し、前記支持ローラの１つである対向転写部材と前記転写部材とが前記中間転写体を介して対向することで形成される転写ニップにおいて前記中間転写体上のトナー像を転写紙に移す画像形成装置において、前記対向転写部材を保持する前記二次転写対向ユニットが、連結手段により遊びをもって且つ前記メインユニットと非接触で前記メインユニットに対して保持されており、前記二次転写対向ユニットが対向する前記二次転写装置によって固定され、前記二次転写対向ユニットと前記二次転写装置は緩衝部材を介して接触することを特徴とする画像形成装置を提案した。
【発明の効果】
【０００８】
転写ニップで発生した振動が一次転写手段に伝わらず、ショックジターの発生が抑制される。また、二次転写対向ユニットの振動は緩衝部材により減衰され、中間転写体の速度変動も低減する。よって、簡単な構成で、画像の転写品質と転写紙の搬送品質を高めることができる。
【図面の簡単な説明】
【０００９】
【図１】画像形成装置の一実施形態を示す概略正面図である。
【図２】中間転写ユニットを示す概略正面図である。
【図３】二次転写装置を示す概略斜視図である。
【図４】二次転写対向ユニットが二次転写装置に対して位置決めされた状態での、図２の矢印方向に見た二次転写対向ユニットの概略平面断面図である。
【図５】中間転写ユニットと二次転写装置の概略側面断面図である。
【図６】異なる実施形態を示す中間転写ユニットと二次転写装置の概略側面断面図である。
【発明を実施するための形態】
【００１０】
図１は、画像形成装置の一実施形態を示す概略正面図である。
同図において符号１００は画像形成装置としてのタンデム型中間転写式の電子写真装置本体、２００は該本体を載せる給紙テーブルをそれぞれ示す。添え字Ｙ、Ｍ、Ｃ、Ｋは、イエロー、マゼンタ、シアン、ブラック（黒）の各色をそれぞれ示す。その他の符号は以下の説明中で直接参照する。画像形成装置１００には、中央付近に、中間転写体である無端ベルト状の中間転写ベルト１０を設けてある。中間転写ベルト１０は、複数の支持ローラに掛け回して図中時計回りに回転搬送可能である。この図示例では、支持ローラの１つであって対向転写部材である二次転写対向ローラ１６の左に、中間転写ベルト用のクリーニング装置１７を設けてある。クリーニング装置１７は画像転写後に中間転写ベルト１０上に残留する残留トナーを除去する。
【００１１】
中間転写ベルト１０は支持ローラ１４と支持ローラ１５、１５’間に張り渡されている。中間転写ベルト１０上には、その搬送方向に沿って、イエロー、マゼンタ、シアン、ブラックの４つの画像形成手段１８Ｙ、１８Ｍ、１８Ｃ、１８Ｋ（以下「１８Ｙ、Ｍ、Ｃ、Ｋ」のように略記する）が横並びに配置され、タンデム画像形成装置２０を構成する。クリーニング装置１７の上方には、ベルトの張力を調節するテンションローラ６３が設けてある。そして、そのタンデム画像形成装置２０の上には、図１に示すように、さらに露光装置２１を設けてある。タンデム画像形成装置２０の各画像形成手段１８は、イエロー、マゼンタ、シアン、ブラックの各色トナー像を担持する像担持体としての感光体ドラム４０Ｙ、Ｍ、Ｃ、Ｋを有している。また、感光体ドラム４０Ｙ、Ｍ、Ｃ、Ｋから中間転写ベルト１０にトナー像を転写する一次転写位置には、中間転写ベルト１０を間に挟んで各感光体ドラムに対向して一次転写手段の構成要素としての一次転写ローラ６２Ｙ、Ｍ、Ｃ、Ｋが設けられている。また、支持ローラ１４は中間転写ベルト１０を回転駆動する駆動ローラである。よって、ブラック単色画像を中間転写ベルト１０上に形成する場合には不図示の手段により駆動ローラ以外の支持ローラ１５、１５’を移動させて、イエロー、マゼンタ、シアンの感光体４０Ｙ、Ｍ、Ｃを中間転写ベルト１０から離間させることも可能である。
【００１２】
中間転写ベルト１０を挟んでタンデム画像形成装置２０と反対の側には、二次転写装置（二次転写ユニット）を備える。二次転写装置８０は、図示例では転写部材としての二次転写ローラ２２などを有するが、その詳細は後述する。二次転写装置８０は、二次転写対向ローラ１６に二次転写ローラ２２を押し当て、転写電界を印加することで中間転写ベルト１０上の画像を転写紙としてのシートＳに転写する。二次転写装置８０の横には、シート上の転写画像を定着する定着装置２５を設けてある。定着装置２５は、無端ベルトである定着ベルト２６に加圧ローラ２７を押し当てて構成される。定着ベルト２６と加圧ローラ２７の間に定着ニップが形成され、搬送ベルトユニット２４により、画像転写後のシートをこの定着装置２５の定着ニップへと搬送し、熱と圧力によりシート上のトナー像を定着する。なお、図示例では、このような二次転写装置８０および定着装置２５の下に、上述したタンデム画像形成装置２０と平行に、シートの両面に画像を記録すべくシートを反転するシート反転装置２８を備えている。
【００１３】
画像形成装置１００は、画像データと作像開始の信号を受けると、不図示の駆動モータで支持ローラ１４を回転駆動して他の複数の支持ローラ１５，１５’などを従動回転し、中間転写ベルト１０を回転搬送する。同時に、個々の画像形成手段１８が各感光体４０上にそれぞれ、イエロー、マゼンタ、シアン、ブラックの単色画像を形成する。そして、中間転写ベルト１０の搬送とともに、それらの単色画像を一次転写ローラ６２Ｙ、Ｍ、Ｃ、Ｋで順次転写して中間転写体１０上に合成カラー画像を形成する。
【００１４】
また、給紙テーブル２００の給紙ローラ４２の１つを選択回転し、ペーパーバンク４３に多段に備える給紙カセット４４の１つからシートを繰り出す。繰り出されたシートは、分離ローラ４５で１枚ずつ分離して給紙路４６に入れ、搬送ローラ４７で搬送して画像形成装置１００内の給紙路４８に導き、レジストローラ４９に突き当てて止める。または、給紙ローラ５０を回転して手差しトレイ５１上のシートを繰り出し、分離ローラで１枚ずつ分離して手差し給紙路５３に入れ、同じくレジストローラ４９に突き当てて止める。そして、中間転写ベルト１０上の合成カラー画像にタイミングを合わせてレジストローラ４９を回転し、中間転写ベルト１０と二次転写ローラ２２との間にシートを送り込み、二次転写ローラ２２で転写してシート上にカラー画像を記録する。
【００１５】
画像転写後のシートは、二次転写ローラ２２と搬送ベルトユニット２４で搬送して定着装置２５へと送り込まれ、熱と圧力とを加えて転写画像を定着した後、排出ローラ５６で排出し、排紙トレイ５７上にスタックする。または、不図示の切換爪で搬送路を切り換えて、シートをシート反転装置２８に入れ、そこで反転して再び二次転写ローラ２２のある転写位置へと導き、裏面にも画像を記録した後、排出ローラ５６で排紙トレイ５７上に排出する。一方、画像転写後の中間転写ベルト１０は、中間転写ベルト用のクリーニング装置１７で中間転写ベルト１０上に残留する残留トナーを除去され、タンデム画像形成装置２０による再度の画像形成に備える。
【００１６】
図２は中間転写ユニットを示す概略正面図である。
中間転写ユニット３０のフレーム（以下「中間転写フレーム」とも言う）は、メインユニット７１と二次転写対向ユニット７２の２つのユニットで構成されている。一次転写ローラ６２Ｙ、Ｍ、Ｃ、Ｋおよびこれらを保持する部品（不図示）を含む一次転写ユニット（不図示）は、中間転写フレームに固定・保持されている。メインユニット７１は、支持ローラ１４、１５、１５’、一次転写ユニット（不図示）内の一次転写ローラ６２Ｙ、Ｍ、Ｃ、Ｋなどを有する。メインユニット７１の下部には、二次転写対向ユニット７２が連結手段としての段付きネジ７３によりメインユニット７１のフレーム（実線部分）に連結されている。中間転写ベルト１０は点線で示されている。後述するように、二次転写対向ユニット７２は段付きネジ７３を介してメインユニット７１に対して前後上下左右に遊びをもって保持されており、二次転写装置８０に位置決めされることで二次転写対向ユニット７２の位置が固定される。
【００１７】
二次転写対向ユニット７２は、内部に二次転写対向ローラ１６、転写前ローラ７４、転写紙ガイド部材としての転写紙ガイド板７５を保持し、前側板９２に二次転写装置８０に位置決めするための位置決めピン７６，７７を有している。
【００１８】
また、二次転写対向ユニット７２の背面も前面と同様の構成であり、二次転写対向ユニット７２は、後側板９３に二次転写装置８０に位置決めするための位置決めピン７８，７９を有している（図４、図５）。
【００１９】
また、二次転写対向ユニット７２の前側板９２には位置決めピン７６，７７の部分を除いて緩衝部材９１が取り付けられており、二次転写装置８０を画像形成装置１００に装着する際、緩衝部材９１は二次転写装置８０の前側フレーム８１と接触する（図４、図５）。
図２に示すように、二次転写対向ユニット７２は、メインユニット７１に具備された支持ローラに張り渡された中間転写ベルト１０の内側に配設されており、二次転写対向ローラ１６が中間転写ベルト１０に接している。
【００２０】
図３は二次転写装置を示す概略斜視図である。図３（ａ）は二次転写装置の前面側（画像形成装置前面側）を内側から見た図、図３（ｂ）は二次転写装置の背面側（画像形成装置背面側）を外側から見た図である。
二次転写装置８０は、前側フレーム８１、後側フレーム８２、これらフレームの間に配置された二次転写ローラ２２などを有する。前側フレーム８１はその内側に、外側に向かってテーパの付いた穴８３，８４を備え、後側フレーム８２はその外側に、内側に向かってテーパの付いた穴８５，８６を備えている。
【００２１】
二次転写装置８０は、画像形成装置本体から引き出し可能にスライドする引き出しユニット９０上に固定されている（図１）。図４に示すように、二次転写装置８０を保持した引き出しユニット９０が本体に格納された時は、二次転写対向ユニット７２の前側板９２の位置決めピン７６、７７が、それぞれ二次転写装置８０の前側フレーム８１の位置決め穴８３、８４と嵌合する。また、二次転写対向ユニット７２の後側板９３の位置決めピン７８，７９が、二次転写装置８０の後側フレーム８２の位置決め穴８５と８６と嵌合する。これにより、段付きネジ７３を介してメインユニット７１に対して前後上下左右に遊びをもって保持されていた二次転写対向ユニット７２は二次転写装置８０に対して位置決めされる。
【００２２】
図４は、二次転写対向ユニット７２が二次転写装置８０に対して位置決めされた状態での、図２の矢印方向に見た二次転写対向ユニット７２の概略平面断面図である。二次転写対向ローラ１６は中間転写ベルト１０を介して二次転写ローラ２２と対向しているため、この図では二次転写ローラ２２は見えていない。二次転写対向ローラ１６よりもシートＳの搬送方向上流側に転写前ローラ７４が配置されている。位置決めピン７６，７８は二次転写対向ユニット７２の軸方向に略平行に形成されている。同様に、位置決めピン７７，７９は二次転写対向ユニット７２の軸方向に略平行に形成されている。これら位置決めピン７６，７７，７８，７９と位置決め穴８３，８４，８５，８６がそれぞれ嵌合することで、二次転写対向ユニット７２が、画像形成装置１００に装着された二次転写装置８０に対して位置決めされる。しかしながら、図３、図５から分かるように、位置決め穴８３，８４は位置決め穴８５，８６よりも高い位置に形成されており、これに対応して位置決めピン７６，７７は位置決めピン７８，７９よりも低い位置に形成されている。従って、二次転写ローラ２２は水平に位置決めされ、これに対向して二次転写対向ローラ１６も水平に位置決めされる。
【００２３】
また、二次転写対向ユニット７２の前側板９２のおもて面に取り付けられた緩衝部材９１が、二次転写対向ユニット７２と二次転写装置８０の間の振動を緩衝する。緩衝部材９１としては、ゴムやバネを用いることができる。なお、図３，４では穴８３，８４，８５，８６は前側フレーム８１及び後側フレーム８２を貫通しておらず、位置決めピン７６，７７，７８，７９が穴８３，８４，８５，８６に嵌合している。
【００２４】
図５は、中間転写ユニット３０と二次転写装置８０の概略側面断面図である。
図示のように、二次転写対向ユニット７２はメインユニット７１に接触しておらず、段付きネジ７３によって遊びを有してメインユニット７１に取り付けられている。そして、二次転写対向ユニット７２は、画像形成装置１００のフレームに装着されて固定された二次転写装置８０に対して位置決めピン７６，７７，７８，７９により固定される。二次転写対向ユニット７２の前側板９２のおもて面には緩衝部材９１が設置されており、緩衝部材９１によって二次転写対向ユニット７２の振動が減衰・低減される。なお、図５では穴８３，８４，８５，８６は前側フレーム８１及び後側フレーム８２を貫通していて、位置決めピン７６，７７，７８，７９が穴８３，８４，８５，８６を貫通している。
【００２５】
従来、一次転写ユニットと二次転写対向ユニットは同一の中間転写フレームに保持されていたため、二次転写装置側からの振動が一次転写手段に伝わっていた。また、二次転写対向ユニットを二次転写装置で保持する構成の場合、二次転写装置からの振動は一次転写手段に直接伝わらないが、二次転写対向ユニットが振動するため、中間転写ベルトの速度変動が大きくなり、ショックジターの原因となっていた。
【００２６】
しかし本実施形態では、二次転写対向ユニット７２がメインユニット７１とは接触しておらず、装置本体に固定された二次転写装置８０に保持されているため、メインユニット７１を介して一次転写手段に振動が伝わらない。また、二次転写対向ユニット７２は、緩衝部材９１を介して装置本体に固定された二次転写装置８０によって保持されるため、二次転写対向ユニット７２の振動は緩衝部材９１により減衰され、中間転写ベルト１０の速度変動も低減する。よって、簡単な構成で、画像の転写品質と転写紙の搬送品質を高めることができる。
【００２７】
また、図２に示すように、二次転写対向ユニット７２は、二次転写対向ローラ１６よりもシートＳの搬送方向上流側に転写前ローラ７４を保持している。このように、二次転写対向ローラ１６と転写前ローラ７４が一体で保持されているため、転写プレニップの左右偏差が発生せず、安定した転写プレニップが得られるため、高い転写品質が得られる。
【００２８】
また、二次転写対向ユニット７２は、転写ニップよりもシートＳの搬送方向上流側に転写紙ガイド板７５を保持している。このように、二次転写対向ローラ１６と転写紙ガイド板７５が一体で保持されているため、シートＳが転写ニップに精度よく案内され、レジスト位置の偏差やブレ画像などの異常が抑制される。シートＳの搬送異常による異常画像や画像形成位置の精度不良の発生を抑制でき、高い転写品質が得られる。
【００２９】
さらに、中間転写ベルト１０上のトナー像を検知する検知手段であるセンサ（不図示）が、二次転写装置８０または二次転写装置を支持する引き出しユニット９０に位置決めされている。このセンサは例えば光センサである。このようにしてセンサを二次転写装置８０または引き出しユニット９０に設置することで二次転写部に対して高い位置精度を確保することができ、該センサでトナー像位置を検出して補正することでシートＳに対する画像位置を精度良く補正することができる。
【００３０】
図６は、別な実施形態を示す中間転写ユニット３０と二次転写装置８０の概略側面断面図である。
以下では主に、前記した実施形態と異なる部分を説明する。図示のように、二次転写対向ユニット７２はメインユニット７１に直接接触しておらず、段付きネジ７３によって遊びを有してメインユニット７１に取り付けられている。そして、二次転写対向ユニット７２は、画像形成装置１００のフレームに装着されて固定された二次転写装置８０に対して位置決めピン７６，７７，７８，７９により固定される。
【００３１】
従来、一次転写ユニットと二次転写対向ユニットは同一の中間転写フレームに保持されていた。しかし本実施形態では、一次転写ユニット（不図示）はメインユニット７１に保持されているが、二次転写対向ユニット７２は二次転写装置８０に保持されており、メインユニット７１とは直接接触していないため、中間転写フレームを介して振動が伝わらない。また、二次転写対向ローラ１６は二次転写装置８０によって位置決めされるため、二次転写ローラ２２と二次転写対向ローラ１６の圧偏差を小さくすることができる。さらに、二次転写装置８０はレジストローラ４９等の搬送装置と同じ引き出しユニット９０に取り付けられるため、二次転写ローラ２２と他の部品との位置関係（平行度など）を高い精度で得ることができる。ゆえに、簡単な構成で、画像の転写品質と転写紙の搬送品質を高めることができる。
【００３２】
また、本実施形態では緩衝部材９１は二次転写対向ユニット７２の前側板９２の裏面に設置されており、緩衝部材９１を介してメインユニット７１と二次転写対向ユニット７２は接触する。緩衝部材９１は段付きネジ７３の無い部分、例えば段付きネジ７３，７３の間に設けられる。メインユニット７１のフレームと二次転写対向ユニット７２を完全に非接触にすることが望ましい。だが、装置の大きさの制約などによりこれらユニットの間に微小な隙間しか確保できない場合は、装置の振動でこれらユニットが互いに接触してショックジターやバンディングなどの異常画像が生じてしまう。そこで本実施形態では、メインユニット７１と二次転写対向ユニット７２を緩衝部材９１を介して接触させている。これにより、二次転写対向ユニット７２の振動は緩衝部材９１により緩衝され、メインユニット７１に伝わり難くなる。また、二次転写対向ユニット７２は二次転写装置８０によって位置決め、保持されているため、搬送品質や画像品質も低下しない。よって、簡単な構成で、画像の転写品質と転写紙の搬送品質を高めることができる。
【００３３】
しかしながら、緩衝部材９１は二次転写対向ユニット７２の前側板９２のおもて面にも設置されてもよく、これにより二次転写対向ユニット７２の振動がさらに減衰・低減される。
【符号の説明】
【００３４】
１０  中間転写ベルト（中間転写体）
１４，１５，１５’，１６，７４  支持ローラ
１６  二次転写対向ローラ（対向転写部材）
２２  二次転写ローラ（転写部材）
３０  中間転写ユニット
６２Ｙ、Ｍ、Ｃ、Ｋ  一次転写ローラ（一次転写手段）
７２  二次転写対向ユニット
７３  段付きネジ（連結手段）
８０  二次転写装置
９１  緩衝部材
１００  画像形成装置
【先行技術文献】
【特許文献】
【００３５】
【特許文献１】特開２０１１−１３３６５３号公報
【特許文献２】特開２００２−２９６９２７号公報
【特許文献３】特開２００４−１４４８７８号公報
【図１】
2016020960.tif 000003
【図２】
2016020960.tif 000004
【図３】
2016020960.tif 000005
【図４】
2016020960.tif 000006
【図５】
2016020960.tif 000007
【図６】
2016020960.tif 000008